(57)【特許請求の範囲】
【請求項１】
第１カバー部と、第２カバー部と、前記第１カバー部と前記第２カバー部の間を連結する連結部とを備え、
前記連結部は、前記第１カバー部と前記第２カバー部の間を回転自在で、且つ、前記第１カバー部と前記第２カバー部の間を回転の軸方向に移動自在に設け、前記連結部は、前記第１カバー部と前記第２カバー部のいずれか一方に設けられた支持軸と、他方に設けられた軸受け部とを有し、前記支持軸は、前記軸受け部に支持されつつ軸方向に移動できる長さに設けられ、前記支持軸は、軸方向のノーマル位置とシフト位置で前記軸受け部に係止するストッパ部を有することを特徴とするカバー。
【請求項２】
請求項１記載のカバーであって、
前記第１カバー部と前記第２カバー部の内の可動側は、内部部品を被うノーマル位置からシフト位置への移動方向に対して後方となる側面に、内部部品との干渉を回避する切欠部を有することを特徴とするカバー。
【発明の詳細な説明】
【技術分野】
【０００１】
本発明は、第１カバー部と第２カバー部の間が回転自在に支持されたカバーに関する。
【背景技術】
【０００２】
車両等に搭載されるバッテリーには、直接ヒューズユニットが付設されるものがある。バッテリーのバッテリーポストやヒューズユニットの端子部等が露出状態であると、水、塵によって腐食等が発生するため、バッテリーのヒューズユニットが付設された箇所の上部をカバーであるバッテリーカバーで被うことが一般的に行われる。
【０００３】
この種の従来のバッテリーカバーとして、図１０〜図１３に示すものがある（特許文献１参照）。このバッテリーカバー５０は、図１０及び図１１に示すように、第１カバー部５１と、第２カバー部６０と、第１カバー部５１と第２カバー部６０の間に配置された連結部７０とを備えている。
【０００４】
第１カバー部５１は、第１上面壁５２と第１上面壁５２の三方の縁端より下方に向かって配置された第１側面壁５３とを有する。第１上面壁５２の第２カバー部６０側は、下方に傾斜する第１傾斜面部５４となっている。
【０００５】
第２カバー部６０は、第２上面壁６１と第２上面壁６１の三方の縁端より下方に向かって配置された第２側面壁６２とを有する。第２上面壁６１の第１カバー部５１側は、下方に傾斜する第２傾斜面部６３となっている。
【０００６】
連結部７０は、第１カバー部５１及び第２カバー部６０の上面より低い位置に配置されている。連結部７０は、第２カバー部６０に一体的に設けられた連接部７１と連接部７１の一側端に固定されたヒンジ部７２とから構成されている。第２カバー部６０は、ヒンジ部７２を支点としてＲ方向に回転できる。
【０００７】
図１２に示すように、第２カバー部６０の閉位置では、第１カバー部５１と第２カバー部６０によってバッテリポスト８０、バッテリー接続端子８１及びヒューズユニット８２を被って保護する。第２カバー部６０を回転し、閉位置から上方の開位置に変移すると、バッテリポスト８０、バッテリー接続端子８１等が露出する。これにより、ヒューズユニット８２、バッテリー接続端子８１等の交換作業やヒューズ点検作業等を行うことができる。
【０００８】
上記従来例によれば、連結部７０が第１カバー部５１と第２カバー部６０の上面より低い位置に位置するので、第１傾斜面部５４と第２傾斜面部６３が突き当たる位置までしか回転できない。これにより、第２カバー部６０の回転範囲を必要範囲である９０度程度に規制している。
【先行技術文献】
【特許文献】
【０００９】
【特許文献１】特開２００２−２８９１７１号公報
【発明の概要】
【発明が解決しようとする課題】
【００１０】
しかしながら、前記従来例では、第２カバー部６０がヒューズユニット８２の上方向にしか回転で移動することができないため、図１３に示すように、ヒューズユニット８２の上方近傍に周辺部材（例えば天井）９０が位置する場合には、第２カバー部６０を十分な開度で開くことができない。従って、ヒューズユニット８２、バッテリー接続端子８１等の交換作業やヒューズ点検作業等に支障を来す。
【００１１】
そこで、本発明は、前記した課題を解決すべくなされたものであり、周辺部材の配置状態に係わらず可動側のカバー部を閉位置から移動して内部部品を露出させることができるカバーを提供することを目的とする。
【課題を解決するための手段】
【００１２】
本発明は、第１カバー部と、第２カバー部と、前記第１カバー部と前記第２カバー部の間を連結する連結部とを備え、前記連結部は、前記第１カバー部と前記第２カバー部の間を回転自在で、且つ、前記第１カバー部と前記第２カバー部の間を回転の軸方向に移動自在に設け、前記連結部は、前記第１カバー部と前記第２カバー部のいずれか一方に設けられた支持軸と、他方に設けられた軸受け部とを有し、前記支持軸は、前記軸受け部に支持されつつ軸方向に移動できる長さに設けられ、前記支持軸は、軸方向のノーマル位置とシフト位置で前記軸受け部に係止するストッパ部を有することを特徴とする。
【００１４】
前記第１カバー部と前記第２カバー部の内の可動側は、内部部品を被うノーマル位置からシフト位置への移動方向に対して後方となる側面に、内部部品との干渉を回避する切欠部を有することが好ましい。
【発明の効果】
【００１５】
本発明によれば、例えば第２カバー部が可動側である場合に、第２カバー部の回転軌跡上に周辺部材が位置するときには、第２カバー部を軸方向にスライド移動することによって内部部品を露出させることができる。第２カバー部の側方に周辺部材が位置するときには、第２カバー部を回転移動することによって内部部品を露出させることができる。従って、周辺部材の配置状態に係わらず可動側のカバー部を閉位置から移動して内部部品を極力露出させることができる。
【図面の簡単な説明】
【００１６】
【図１】本発明の第１実施形態を示し、（ａ）はバッテリーの上部にバッテリーカバーが設置され、第２カバー部が閉位置の状態を示す斜視図、（ｂ）はバッテリーの上部にバッテリーカバーが設置され、第２カバー部が閉位置の状態を示す側面図である。
【図２】本発明の第１実施形態を示し、（ａ）はバッテリーの上部にバッテリーカバーが設置され、第２カバー部が回転途中の状態を示す斜視図、（ｂ）はバッテリーの上部にバッテリーカバーが設置され、第２カバー部が回転途中の状態を示す側面図である。
【図３】本発明の第１実施形態を示し、（ａ）はバッテリーカバーの組み付け前の斜視図、（ｂ）は支持軸が軸受け部で軸支された状態を示す要部断面図である。
【図４】本発明の第１実施形態を示し、バッテリーカバーの斜視図である。
【図５】本発明の第１実施形態を示し、図４とは反対の側面壁側から見たバッテリーカバーの斜視図である。
【図６】本発明の第１実施形態を示し、第２カバー部がノーマル位置に位置するバッテリーカバーの平面図である。
【図７】本発明の第１実施形態を示し、第２カバー部が第１スライド位置に位置するバッテリーカバーの平面図である。
【図８】本発明の第１実施形態を示し、第２カバー部が第２スライド位置に位置するバッテリーカバーの平面図である。
【図９】第２実施形態を示し、バッテリーカバーの平面図である。
【図１０】従来例を示し、バッテリーカバーの斜視図である。
【図１１】従来例を示し、バッテリーカバーの平面図である。
【図１２】従来例を示し、バッテリーの上部にバッテリーカバーが設置され、第２カバー部が閉位置の状態を示す側面図である。
【図１３】従来例を示し、バッテリーの上部にバッテリーカバーが設置され、第２カバー部が閉位置から開位置の回転途中の状態を示す斜視図である。
【発明を実施するための形態】
【００１７】
以下、本発明の実施形態を図面に基づいて説明する。
【００１８】
（第１実施形態）
図１〜図８は本発明の第１実施形態を示す。
【００１９】
図１及び図２において、バッテリー直付けのヒューズユニット３０は、バッテリーポスト３１ａにバッテリー接続端子３２を介して固定されている。
【００２０】
カバーであるバッテリーカバー１Ａは、バッテリー３１の上部に設置されている。バッテリーカバー１Ａは、内部部品であるバッテリーポスト３１ａとバッテリー接続端子３２とヒューズユニット３０を保護する。以下、バッテリーカバー１Ａの構成を詳しく説明する。
【００２１】
図３〜図５に示すように、バッテリーカバー１Ａは、第１カバー部２と第２カバー部１０とを備え、第１カバー部２と第２カバー部１０は連結部２０Ａによって連結されている。
【００２２】
第１カバー部２は、上面壁３と、この上面壁３の三方の縁端より垂設された側面壁４とを有する。第１カバー部２は、ヒューズユニット３０の一部上半分を被っている。側面壁４には、係止部５が複数箇所に設けられている。各係止部５はヒューズユニット３０に係止されている。第１カバー部２は、第２カバー部１０側が開放面とされている。上面壁３の開放面側は、開放端に向かって下方に傾斜する傾斜面部６とされている。
【００２３】
第２カバー部１０は、上面壁１１と、この上面壁１１の縁端より垂設された側面壁１２とを有する。側面壁１２は、従来例とは異なり二方の縁端からのみ垂設されている。第２カバー部１０の一方の側面は、切欠部１４（図５に示す）とされている。切欠部１４とされた側面は、第２カバー部１０のスライド方向のノーマル位置から第１及び第２シフト位置への移動方向に対して後方となる側面である。ノーマル位置、第１シフト位置、第２シフト位置については、下記で説明する。
【００２４】
第２カバー部１０は、回転方向の閉位置で、且つ、スライド方向のノーマル位置では、ヒューズユニット３０の一部上半分とバッテリー接続端子３２とバッテリーポスト３１ａを被っている。第２カバー部１０は、第１カバー部２側が開放面とされている。上面壁１１の開放面側は、開放端に向かって下方に傾斜する傾斜面部１３とされている。
【００２５】
連結部２０Ａは、第１カバー部２及び第２カバー部１０の上面より低い位置に配置されている。連結部２０Ａは、第１カバー部２に一体に設けられた軸受け部２１と、第２カバー部１０に一体に設けられた軸保持ロッド２２及び支持軸２３とを備えている。
【００２６】
軸受け部２１は、第１カバー部２の上面壁３の開放端より第２カバー部１０の開口面に向かって突設されている。軸受け部２１は、間隔を置いて３つの軸受け片２１ａ〜２１ｃより構成されている。各軸受け片２１ａ〜２１ｃは、側面視で略Ｃ字状である。各軸受け片２１ａ〜２１ｃの各開口より支持軸２３を嵌合することによって支持軸２３を軸支する。
【００２７】
軸保持ロッド２２は、第２カバー部１０の上面壁１１の開放端に突設されている。軸保持ロッド２２は、軸受け部２１の幅寸法（両端位置の軸受け片２１ａと軸受け片２１ｃ間の幅寸法）に対して長く、第２カバー部１０の切欠部１４側に突出されている。又、軸保持ロッド２２は、第２カバー部１０の回転に際しては従来例の連接部としての機能を持つ。
【００２８】
支持軸２３は、軸保持ロッド２２と同様に、軸受け部２１の幅寸法（両端位置の軸受け片２１ａと軸受け片２１ｃ間の幅寸法）に対して長く、第２カバー部１０の切欠部１４側に突出されている。支持軸２３の両端部は、軸保持ロッド２２の両端部に固定されている。支持軸２３は、両端部以外では、軸保持ロッド２２との間に隙間を介して配置されている。この隙間を利用して軸受け部２１の各軸受け片２１ａ〜２１ｃが支持軸２３を回転自在に支持することができる。
【００２９】
つまり、第２カバー部１０は、第１カバー部２に対して支持軸２３を支点として回転自在で、且つ、スライド自在にある。第２カバー部１０は、スライド方向のノーマル位置にあって、ヒューズユニット３０の一部上半分とバッテリー接続端子３２とバッテリーポスト３１ａを被う閉位置と、これらを露出させる開位置との間で回転する。第２カバー部１０は、回転方向の閉位置にあって、ヒューズユニット３０の一部上半分とバッテリー接続端子３２とバッテリーポスト３１ａを被うノーマル位置（図６の位置）と、バッテリー接続端子３２のポスト固定用ボルト３２ａを露出する第１シフト位置（図７の位置）と、ヒューズユニット固定用ボルト３２ｂまで露出する第２シフト位置（図８の位置）との間をスライド移動する。
【００３０】
また、支持軸２３には、その外周面より僅かに突出する円周突状の第１及び第２ストッパ２３ａ，２３ｂが設けられている。この第１及び第２ストッパ２３ａ，２３ｂは、支持軸２３の軸方向への移動を規制する。しかし、支持軸２３の軸方向に所定力以上を作用させると、各軸受け片２１ａ〜２１ｃが拡径方向に弾性変形して第１及び第２ストッパ２３ａ，２３ｂを乗り越えてスライド移動できる。第１ストッパ２３ａは、図６に示す如く第２カバー部１０のノーマル位置と、図７に示す如く第２カバー部１０の第１シフト位置をそれぞれ位置決めする。第２ストッパ２３ｂは、図７に示す如く第２カバー部１０の第１シフト位置と、図８に示す如く第２カバー部１０の第２シフト位置をそれぞれ位置決めする。
【００３１】
上記構成において、通常時にあっては、第２カバー部１０は、図１（ａ）、（ｂ）に示すように、回転方向が閉位置で、且つ、スライド方向がノーマル位置に位置する。バッテリーカバー１Ａは、バッテリーポスト３１ａ、バッテリー接続端子３２、ヒューズユニット３０の外周を被っている。
【００３２】
部品交換、点検等を行う場合には、第２カバー部１０内を露出する必要がある。ここで、第２カバー部１０の回転軌跡上に周辺部材が位置しない場合には、第２カバー部１０を支持軸２３を中心として回転し、第２カバー部１０を閉位置から開位置に変移する。この第２カバー部１０の回転では、連結部２０Ａが第１カバー部２と第２カバー部１０の上面より低い位置に位置するので、双方の傾斜面部６，１３が突き当たる位置までしか回転できない。これにより、第２カバー部１０の回転範囲は、９０度程度に規制される。
【００３３】
第２カバー部１０の回転軌跡上に周辺部材（図示せず）が位置する場合には、第２カバー部１０をスライド移動する。第１シフト位置までスライド移動すれば、図７に示す如くポスト固定用ボルト３２ａが露出する。ポスト固定用ボルト３２ａを緩めることでバッテリー接続端子３２及びヒューズユニット３０を一体として取り外すことができる。第２シフト位置までスライド移動すれば、図８に示す如くヒューズユニット固定用ボルト３２ｂが露出する。ヒューズユニット固定用ボルト３２ｂを緩めることでヒューズユニット３０を取り外すことができる。
【００３４】
又、第１シフト位置や第２シフト位置にあって、周辺部材（図示せず）が第２カバー部１０の回転軌跡上から外れれば、第１シフト位置や第２シフト位置で第２カバー部１０を閉位置から開位置に回転することができる。
【００３５】
以上説明したように、バッテリーカバー１Ａの連結部２０Ａは、第１カバー部２と第２カバー部１０の間を回転自在で、且つ、第１カバー部２と第２カバー部１０の間を回転の軸方向に移動自在に設けられている。従って、上述したように、周辺部材（図示せず）の配置状態に係わらず第２カバー部１０を閉位置から移動してバッテリーポスト３１ａ、バッテリー接続端子３２、ヒューズユニット３０を極力露出させることができる。これにより、ヒューズユニット３０、バッテリー接続端子３２等の交換作業やヒューズ点検作業等が可能である。
【００３６】
連結部２０Ａの支持軸２３は、軸受け部２１に支持されつつ軸方向に移動できる長さに設けられいる。従って、支持軸２３の長さを調整することによって第２カバー部１０のシフト量を自由に調整可能である。
【００３７】
第２カバー部１０は、内部部品を被うノーマル位置からシフト位置への移動方向に対して後方となる側面に、バッテリーポスト３１ａとバッテリー接続端子３２とヒューズユニット３０との干渉を回避する切欠部１４を有する。従って、第２カバー部１０を全く回転させないでもスライド移動させることができる。
【００３８】
（第２実施形態）
図９は、本発明の第２実施形態を示す。図９において、第２実施形態のバッテリーカバー１Ｂは、前記第１実施形態のものと比較するに、連結部２０Ｂの構成のみが相違する。
【００３９】
つまり、連結部２０Ｂは、第１カバー部２に一体に設けられた軸保持部２５と、この軸保持部２５に両端が支持された支持軸２３と、第２カバー部１０に一体に設けられた連接部２６と、この連接部２６の先端側に設けられた軸受け部２１とを備えている。つまり、この第２実施形態では、前記第１実施形態とは逆に、第１カバー部２側に支持軸２３を、第２カバー部１０側に軸受け部２１を設けられている。
【００４０】
連結部２０Ｂは、前記第１実施形態のものと同様に、第１カバー部２及び第２カバー部１０の上面より低い位置に配置されている。
【００４１】
他の構成は、前記第１実施形態と同様であるため、説明を省略する。図９の同一構成箇所には同一符号を付して明確化を図る。
【００４２】
この第２実施形態でも、前記第１実施形態と同様に、周辺部材（図示せず）の配置状態に係わらず第２カバー部１０を閉位置から移動してバッテリポスト（図示せず）、バッテリー接続端子（図示せず）、ヒューズユニット（図示せず）を極力露出させることができる。
【００４３】
（その他）
前記各実施形態では、カバーはバッテリーカバー１Ａ，１Ｂであるが、本発明は、それ以外のカバーにも適用できることはもちろんである。
【符号の説明】
【００４４】
１Ａ，１Ｂ  バッテリーカバー
２  第１カバー部
１０  第２カバー部
１４  切欠部
２０Ａ，２０Ｂ  連結部
２１  軸受け部
２３  支持軸
３０  ヒューズユニット（内部部品）
３１ａ  バッテリーポスト（内部部品）
３２  バッテリー接続端子（内部部品）
【図１】
0005555091.tif 000002
【図２】
0005555091.tif 000003
【図３】
0005555091.tif 000004
【図４】
0005555091.tif 000005
【図５】
0005555091.tif 000006
【図６】
0005555091.tif 000007
【図７】
0005555091.tif 000008
【図８】
0005555091.tif 000009
【図９】
0005555091.tif 000010
【図１０】
0005555091.tif 000011
【図１１】
0005555091.tif 000012
【図１２】
0005555091.tif 000013
【図１３】
0005555091.tif 000014